(57)【要約】本開示はユーザー装置の過熱保護方法、装置、ユーザー装置及び基地局に関する。ユーザー装置の過熱保護方法は、無線リンク構成が高すぎてユーザー装置が過熱していると判断する場合、降温構成を要求するための第１シグナリングを基地局に送信し且つ所定時間のタイマーを起動するステップと、前記タイマーがタイムアウトする時の前記ユーザー装置の装置温度を検出するステップと、前記検出結果に対応する操作を実行するステップと、を含む。本開示の技術案によれば、ＵＥの過熱時、降温構成を要求するためのシグナリングを基地局に送信することで温度を低減させ、且つ任意の時刻に頻繁にシグナリングを送信することによってシグナリング負荷が大きいという問題を回避する。【選択図】図１Ａ
2020529783.tif 000002
【特許請求の範囲】
【請求項１】
ユーザー装置の過熱保護方法であって、ユーザー装置に応用され、
無線リンク構成が高すぎてユーザー装置が過熱していると判断する場合、降温構成を要求するための第１シグナリングを基地局に送信し且つ所定時間のタイマーを起動するステップと、
前記タイマーがタイムアウトする時の前記ユーザー装置の装置温度を検出するステップと、
前記検出結果に対応する操作を実行するステップと、を含むことを特徴とする、前記ユーザー装置の過熱保護方法。
【請求項２】
前記タイマーがタイムアウトする時の前記ユーザー装置の装置温度を検出することは、
前記タイマーがタイムアウトする前に、前記基地局が前記第１シグナリングに基づいて返信した降温構成を含む応答シグナリングを受信する場合、前記タイマーをリセットするステップと、
前記タイマーをリセットした後、前記タイマーがタイムアウトする時の前記ユーザー装置の装置温度を検出するステップと、を含むことを特徴とする請求項１に記載のユーザー装置の過熱保護方法。
【請求項３】
前記検出結果に対応する操作を実行することは、
前記検出結果として前記タイマーがタイムアウトする時に前記ユーザー装置がまだ過熱している場合、降温構成を要求するための第２シグナリングを基地局に送信し且つ前記タイマーを再起動するステップを含むことを特徴とする請求項１に記載のユーザー装置の過熱保護方法。
【請求項４】
前記検出結果に対応する操作を実行することは、
前記検出結果として前記タイマーがタイムアウトする時に前記ユーザー装置が過熱しなくなる場合、前記ユーザー装置が過熱しなくなることを指示する第３シグナリングを前記基地局に送信し且つ前記タイマーを停止するステップ、又は、
基地局へのシグナリング送信を拒否し且つ前記タイマーを停止するステップを含むことを特徴とする請求項１に記載のユーザー装置の過熱保護方法。
【請求項５】
前記タイマーがタイムアウトする前に接続再確立プロセスが発生する場合、前記タイマーを停止するステップをさらに含むことを特徴とする請求項１に記載のユーザー装置の過熱保護方法。
【請求項６】
ユーザー装置の過熱保護方法であって、
ユーザー装置から送信される降温構成を要求するための第１シグナリングを受信するステップと、
前記第１シグナリングに基づいて、降温構成を含む応答シグナリングを生成するステップと、
前記応答シグナリングを送信するステップと、を含むことを特徴とする、前記ユーザー装置の過熱保護方法。
【請求項７】
前記第１シグナリングに基づいて、降温構成を含む応答シグナリングを生成することは、
前記第１シグナリングを解析して降温補助情報を取得するステップと、
前記降温補助情報に基づいて、前記応答シグナリングを生成するステップと、を含むことを特徴とする請求項６に記載のユーザー装置の過熱保護方法。
【請求項８】
ユーザー装置の過熱保護装置であって、ユーザー装置に応用され、
無線リンク構成が高すぎてユーザー装置が過熱していると判断する場合、降温構成を要求するための第１シグナリングを基地局に送信し且つ所定時間のタイマーを起動するように構成される過熱処理モジュールと、
前記タイマーがタイムアウトする時の前記ユーザー装置の装置温度を検出するように構成される検出モジュールと、
前記検出結果に対応する操作を実行するように構成される実行モジュールと、を備えることを特徴とする、前記ユーザー装置の過熱保護装置。
【請求項９】
前記検出モジュールは、
前記タイマーがタイムアウトする前に、前記基地局が前記第１シグナリングに基づいて返信した降温構成を含む応答シグナリングを受信する場合、前記タイマーをリセットするように構成されるリセットサブモジュールと、
前記タイマーをリセットした後、前記タイマーがタイムアウトする時の前記ユーザー装置の装置温度を検出するように構成される検出サブモジュールと、を備えることを特徴とする請求項８に記載のユーザー装置の過熱保護装置。
【請求項１０】
前記実行モジュールは、
前記検出結果として前記タイマーがタイムアウトする時に前記ユーザー装置がまだ過熱している場合、降温構成を要求するための第２シグナリングを基地局に送信し且つ前記タイマーを再起動するように構成される第１処理サブモジュールを備えることを特徴とする請求項８に記載のユーザー装置の過熱保護装置。
【請求項１１】
前記実行モジュールは、
前記検出結果として前記タイマーがタイムアウトする時に前記ユーザー装置が過熱しなくなる場合、前記ユーザー装置が過熱しなくなることを指示する第３シグナリングを前記基地局に送信し且つ前記タイマーを停止するように構成される第２処理サブモジュール、又は、
基地局へのシグナリング送信を拒否し且つ前記タイマーを停止するように構成される第３処理サブモジュールを備えることを特徴とする請求項８に記載のユーザー装置の過熱保護装置。
【請求項１２】
前記タイマーがタイムアウトする前に接続再確立プロセスが発生する場合、前記タイマーを停止するように構成されるタイマー停止モジュールをさらに備えることを特徴とする請求項８に記載のユーザー装置の過熱保護装置。
【請求項１３】
ユーザー装置の過熱保護装置であって、
ユーザー装置から送信される降温構成を要求するための第１シグナリングを受信するように構成される受信モジュールと、
前記受信モジュールによって受信された前記第１シグナリングに基づいて、降温構成を含む応答シグナリングを生成するように構成される生成モジュールと、
前記生成モジュールによって生成された前記応答シグナリングを送信するように構成される送信モジュールと、を備えることを特徴とする、前記ユーザー装置の過熱保護装置。
【請求項１４】
前記生成モジュールは、
前記第１シグナリングを解析して降温補助情報を取得するように構成される解析サブモジュールと、
前記降温補助情報に基づいて、前記応答シグナリングを生成するように構成される生成サブモジュールと、を備えることを特徴とする請求項１３に記載のユーザー装置の過熱保護装置。
【請求項１５】
ユーザー装置であって、
プロセッサと、
プロセッサ実行可能命令を記憶するように構成されるメモリと、を備え、
前記プロセッサは、
無線リンク構成が高すぎてユーザー装置が過熱していると判断する場合、降温構成を要求するための第１シグナリングを基地局に送信し且つ所定時間のタイマーを起動し、
前記タイマーがタイムアウトする時の前記ユーザー装置の装置温度を検出し、
前記検出結果に対応する操作を実行するように構成されることを特徴とする、前記ユーザー装置。
【請求項１６】
基地局であって、
プロセッサと、
プロセッサ実行可能命令を記憶するように構成されるメモリと、を備え、
前記プロセッサは、
ユーザー装置から送信される降温構成を要求するための第１シグナリングを受信し、
前記第１シグナリングに基づいて、降温構成を含む応答シグナリングを生成し、
前記応答シグナリングを送信するように構成されることを特徴とする、前記基地局。
【請求項１７】
コンピュータ命令が記憶される非一時的コンピュータ可読記憶媒体であって、前記命令がプロセッサによって実行される時、
無線リンク構成が高すぎてユーザー装置が過熱していると判断する場合、降温構成を要求するための第１シグナリングを基地局に送信し且つ所定時間のタイマーを起動するステップと、
前記タイマーがタイムアウトする時の前記ユーザー装置の装置温度を検出するステップと、
前記検出結果に対応する操作を実行するステップと、を実現することを特徴とする、前記非一時的コンピュータ可読記憶媒体。
【請求項１８】
コンピュータ命令が記憶される非一時的コンピュータ可読記憶媒体であって、前記命令がプロセッサによって実行される時、
ユーザー装置から送信される降温構成を要求するための第１シグナリングを受信するステップと、
前記第１シグナリングに基づいて、降温構成を含む応答シグナリングを生成するステップと、
前記応答シグナリングを送信するステップと、を実現することを特徴とする、前記非一時的コンピュータ可読記憶媒体。
【発明の詳細な説明】
【技術分野】
【０００１】
本開示は無線通信の技術分野に関し、特にユーザー装置の過熱保護方法、装置、ユーザー装置及び基地局に関する。
【背景技術】
【０００２】
ロングタームエボリューション（Ｌｏｎｇ  Ｔｅｒｍ  Ｅｖｏｌｕｔｉｏｎ：ＬＴＥと略称）システムでは、ユーザーに求められる高速データ伝送速度を満たすように、ユーザー装置（Ｕｓｅｒ  Ｅｑｕｉｐｍｅｎｔ：ＵＥと略称）に高次多入力多出力（Ｍｕｌｔｉｐｌｅ−Ｉｎｐｕｔ  Ｍｕｌｔｉｐｌｅ−Ｏｕｔｐｕｔ：ＭＩＭＯと略称）、マルチキャリアアグリゲーション又は高次変調復号等の無線伝送方式を設定することができる。しかし、このような高速無線伝送方式はＵＥの過熱を招く可能性があり、ＵＥの過熱は更にＵＥのサービスデータの伝送中断、ひいては装置の再起動等の問題を招く可能性がある。
【０００３】
関連技術では、ＵＥを使用する時の良好なユーザーエクスペリエンスを確保するために、ＵＥプロバイダーは携帯電話に対して温度制御を行うことが一般的であり、例えば、ＵＥがデタッチ及び再アタッチの方式によって無線リンク構成を削減させるように制御することで、ＵＥの過熱を回避する。関連技術では、ＵＥはデタッチ及び再アタッチ中にサービスデータ伝送の中断を引き起こし、ユーザーエクスペリエンスを低下させてしまうことがある。
【発明の概要】
【発明が解決しようとする課題】
【０００４】
関連技術の問題を解決するために、本開示の実施例はユーザー装置の過熱保護方法、装置、ユーザー装置及び基地局を提供し、ＵＥの過熱時、降温構成を要求するためのシグナリングを基地局に送信することで温度を低減させ、関連技術に係るサービスデータ伝送の中断の問題を回避し、且つタイマーによって第１シグナリングを送信してから所定時間後に実行される過熱保護操作を決定し、任意の時刻に頻繁にシグナリングを送信することによってシグナリング負荷が大きいという問題を回避する。
【課題を解決するための手段】
【０００５】
本開示の実施例の第１態様によれば、ユーザー装置の過熱保護方法を提供し、該ユーザー装置の過熱保護方法は、ユーザー装置に応用され、
無線リンク構成が高すぎてユーザー装置が過熱していると判断する場合、降温構成を要求するための第１シグナリングを基地局に送信し且つ所定時間のタイマーを起動するステップと、
前記タイマーがタイムアウトする時の前記ユーザー装置の装置温度を検出するステップと、
前記検出結果に対応する操作を実行するステップと、を含む。
【０００６】
一実施例では、前記タイマーがタイムアウトする時の前記ユーザー装置の装置温度を検出することは、
前記タイマーがタイムアウトする前に、前記基地局が前記第１シグナリングに基づいて返信した降温構成を含む応答シグナリングを受信する場合、前記タイマーをリセットするステップと、
前記タイマーをリセットした後、前記タイマーがタイムアウトする時の前記ユーザー装置の装置温度を検出するステップと、を含む。
【０００７】
一実施例では、前記検出結果に対応する操作を実行することは、
前記検出結果として前記タイマーがタイムアウトする時に前記ユーザー装置がまだ過熱している場合、降温構成を要求するための第２シグナリングを基地局に送信し且つ前記タイマーを再起動するステップを含む。
【０００８】
一実施例では、前記検出結果に対応する操作を実行することは、
前記検出結果として前記タイマーがタイムアウトする時に前記ユーザー装置が過熱しなくなる場合、前記ユーザー装置が過熱しなくなることを指示する第３シグナリングを前記基地局に送信し且つ前記タイマーを停止するステップ、又は、
基地局へのシグナリング送信を拒否し且つ前記タイマーを停止するステップを含む。
【０００９】
一実施例では、該ユーザー装置の過熱保護方法は、
前記タイマーがタイムアウトする前に接続再確立プロセスが発生する場合、前記タイマーを停止するステップをさらに含む。
【００１０】
本開示の実施例の第２態様によれば、ユーザー装置の過熱保護方法を提供し、該ユーザー装置の過熱保護方法は、
ユーザー装置から送信される降温構成を要求するための第１シグナリングを受信するステップと、
前記第１シグナリングに基づいて、降温構成を含む応答シグナリングを生成するステップと、
前記応答シグナリングを送信するステップと、を含む。
【００１１】
一実施例では、前記第１シグナリングに基づいて、降温構成を含む応答シグナリングを生成することは、
前記第１シグナリングを解析して降温補助情報を取得するステップと、
前記降温補助情報に基づいて、前記応答シグナリングを生成するステップと、を含む。
【００１２】
本開示の実施例の第３態様によれば、ユーザー装置の過熱保護装置を提供し、該ユーザー装置の過熱保護装置は、ユーザー装置に応用され、
無線リンク構成が高すぎてユーザー装置が過熱していると判断する場合、降温構成を要求するための第１シグナリングを基地局に送信し且つ所定時間のタイマーを起動するように構成される過熱処理モジュールと、
前記タイマーがタイムアウトする時の前記ユーザー装置の装置温度を検出するように構成される検出モジュールと、
前記検出結果に対応する操作を実行するように構成される実行モジュールと、を備える。
【００１３】
一実施例では、検出モジュールは、
前記タイマーがタイムアウトする前に、前記基地局が前記第１シグナリングに基づいて返信した降温構成を含む応答シグナリングを受信する場合、前記タイマーをリセットするように構成されるリセットサブモジュールと、
前記タイマーをリセットした後、前記タイマーがタイムアウトする時の前記ユーザー装置の装置温度を検出するように構成される検出サブモジュールと、を備える。
【００１４】
一実施例では、実行モジュールは、
前記検出結果として前記タイマーがタイムアウトする時に前記ユーザー装置がまだ過熱している場合、降温構成を要求するための第２シグナリングを基地局に送信し且つ前記タイマーを再起動するように構成される第１処理サブモジュールを備える。
【００１５】
一実施例では、実行モジュールは、
前記検出結果として前記タイマーがタイムアウトする時に前記ユーザー装置が過熱しなくなる場合、前記ユーザー装置が過熱しなくなることを指示する第３シグナリングを前記基地局に送信し且つ前記タイマーを停止するように構成される第２処理サブモジュール、又は、
基地局へのシグナリング送信を拒否し且つ前記タイマーを停止するように構成される第３処理サブモジュールを備える。
【００１６】
一実施例では、該ユーザー装置の過熱保護装置は、
前記タイマーがタイムアウトする前に接続再確立プロセスが発生する場合、前記タイマーを停止するように構成されるタイマー停止モジュールをさらに備える。
【００１７】
本開示の実施例の第４態様によれば、ユーザー装置の過熱保護装置を提供し、該ユーザー装置の過熱保護は、
ユーザー装置から送信される降温構成を要求するための第１シグナリングを受信するように構成される受信モジュールと、
前記受信モジュールによって受信された前記第１シグナリングに基づいて、降温構成を含む応答シグナリングを生成するように構成される生成モジュールと、
前記生成モジュールによって生成された前記応答シグナリングを送信するように構成される送信モジュールと、を備える。
【００１８】
一実施例では、生成モジュールは、
前記第１シグナリングを解析して降温補助情報を取得するように構成される解析サブモジュールと
前記降温補助情報に基づいて、前記応答シグナリングを生成するように構成される生成サブモジュールと、を備える。
【００１９】
本開示の実施例の第５態様に基づき、ユーザー装置を提供し、該ユーザー装置は
プロセッサと、
プロセッサ実行可能命令を記憶するように構成されるメモリと、を備え、
前記プロセッサは、
無線リンク構成が高すぎてユーザー装置が過熱していると判断する場合、降温構成を要求するための第１シグナリングを基地局に送信し且つ所定時間のタイマーを起動し、
前記タイマーがタイムアウトする時の前記ユーザー装置の装置温度を検出し、
前記検出結果に対応する操作を実行するように構成される。
【００２０】
本開示の実施例の第６態様によれば、基地局を提供し、該基地局は、
プロセッサと、
プロセッサ実行可能命令を記憶するように構成されるメモリと、を備え、
前記プロセッサは、
ユーザー装置から送信される降温構成を要求するための第１シグナリングを受信し、
前記第１シグナリングに基づいて、降温構成を含む応答シグナリングを生成し、
前記応答シグナリングを送信するように構成される。
【００２１】
本開示の実施例の第７態様によれば、非一時的コンピュータ可読記憶媒体を提供し、該非一時的コンピュータ可読記憶媒体は、前記記憶媒体にコンピュータ命令が記憶され、前記命令がプロセッサによって実行される時、
無線リンク構成が高すぎてユーザー装置が過熱していると判断する場合、降温構成を要求するための第１シグナリングを基地局に送信し且つ所定時間のタイマーを起動するステップと、
前記タイマーがタイムアウトする時の前記ユーザー装置の装置温度を検出するステップと、
前記検出結果に対応する操作を実行するステップと、を実現する。
【００２２】
本開示の実施例の第８態様によれば、非一時的コンピュータ可読記憶媒体を提供し、該非一時的コンピュータ可読記憶媒体は、前記記憶媒体にコンピュータ命令が記憶され、前記命令がプロセッサによって実行される時、
ユーザー装置から送信される降温構成を要求するための第１シグナリングを受信するステップと、
前記第１シグナリングに基づいて、降温構成を含む応答シグナリングを生成するステップと、
前記応答シグナリングを送信するステップと、を実現する。
【発明の効果】
【００２３】
本開示の実施例に係る技術案は以下の有益な効果を含む。
【００２４】
ユーザー装置（ＵＥ）は無線リンク構成が高すぎて過熱していると決定する場合、降温構成を要求するための第１シグナリングを基地局に送信し、ＵＥの過熱時、降温構成を要求するためのシグナリングを基地局に送信することで温度を低減させ、関連技術に係るサービスデータ伝送の中断の問題を回避し、且つ第１シグナリングを送信した後に所定時間のタイマーを設定し、且つタイマーがタイムアウトする時のユーザー装置の装置温度を検出し、且つ検出結果に基づいて対応する操作を実行することで、任意の時刻に頻繁にシグナリングを送信することによってシグナリング負荷が大きいという問題を回避する。
【００２５】
なお、以上の一般的な説明及び後述する詳細説明は例示的及び説明的なものであり、本開示を限定しない。
【図面の簡単な説明】
【００２６】
【図１Ａ】図１Ａは例示的な実施例に係るユーザー装置の過熱保護方法のフローチャートである。
【図１Ｂ】図１Ｂは例示的な実施例に係るユーザー装置の過熱保護方法のシーン図である。
【図１Ｃ】図１Ｃは例示的な実施例に係るタイマーの計時方法の模式図１である。
【図１Ｄ】図１Ｄは例示的な実施例に係るタイマーの計時方法の模式図２である。
【図２】図２は例示的な実施例に係る別のユーザー装置の過熱保護方法のフローチャートである。
【図３】図３は例示的な実施例に係るユーザー装置の過熱保護方法のフローチャートである。
【図４】図４は例示的な実施例に係る別のユーザー装置の過熱保護方法のフローチャートである。
【図５】図５は例示的な実施例に係る別の基地局とユーザー装置との対話によってユーザー装置の過熱保護方法を実現するフローチャートである。
【図６】図６は例示的な実施例に係るユーザー装置の過熱保護装置のブロック図である。
【図７】図７は例示的な実施例に係るさらに別のユーザー装置の過熱保護装置のブロック図である。
【図８】図８は例示的な実施例に係るユーザー装置の過熱保護装置のブロック図である。
【図９】図９は例示的な実施例に係るさらに別のユーザー装置の過熱保護装置のブロック図である。
【図１０】図１０は例示的な実施例に係るユーザー装置に適用できる過熱保護装置のブロック図である。
【図１１】図１１は例示的な実施例に係るユーザー装置に適用できる過熱保護装置のブロック図である。
【発明を実施するための形態】
【００２７】
ここでの図面は本明細書の一部として明細書に組み込まれ、本発明に該当する実施例を示し、明細書とともに本発明の原理を説明する。
【００２８】
ここで、例示的な実施例を詳細説明し、その例は図面に示される。後述する説明が図面に言及する場合、特に断らない限り、異なる図面中の同一符号は同一又は類似の要素を示す。以下、例示的な実施例に説明される実施形態は本発明相に該当するすべての実施形態ではない。その反面、添付特許請求の範囲に詳細説明される本発明のいくつかの態様に該当する装置及び方法の例に過ぎない。
【００２９】
図１Ａは例示的な実施例に係るユーザー装置の過熱保護方法のフローチャート、図１Ｂは例示的な実施例に係るユーザー装置の過熱保護方法のシーン図、図１Ｃは例示的な実施例に係るタイマーの計時方法の模式図１、図１Ｄは例示的な実施例に係るタイマーの計時方法の模式図２であり、該ユーザー装置の過熱保護方法はユーザー装置に応用でき、図１Ａに示すように、該ユーザー装置の過熱保護方法は以下のステップ１０１〜ステップ１０３を含む。
【００３０】
ステップ１０１では、無線リンク構成が高すぎてユーザー装置が過熱していると判断する場合、降温構成を要求するための第１シグナリングを基地局に送信し且つ所定時間のタイマーを起動する。
【００３１】
一実施例では、第１シグナリングを送信する時に所定時間のタイマーを起動し、タイマーの計時開始時刻は第１シグナリングの送信時刻であるようにしてもよい。
【００３２】
一実施例では、所定時間のタイマーは基地局によって設定され、且つ無線リソース制御（Ｒａｄｉｏ  Ｒｅｓｏｕｒｃｅ  Ｃｏｎｔｒｏｌ：ＲＲＣと略称）シグナリング、例えばＲＲＣ接続再構成シグナリング中のほかの構成シグナリングのＯｔｈｅｒｃｏｎｆｉｇシグナリングによってユーザー装置に指示されるようにしてもよい。
【００３３】
一実施例では、第１シグナリングは基地局がＵＥの過熱問題を解決することを支援する補助情報を含むシグナリングであり、第１シグナリングは基地局にユーザー装置の過熱問題を解決することを指示する補助情報を含み、補助情報は過熱による低性能Ｌｏｗｅｒ−Ｐｅｒｆｏｒｍａｎｃｅの指示情報、及び／又は、調整先の無線リンク構成、及び／又は、ユーザー装置の一時的ＵＥ能力を含み、一時的ＵＥ能力はユーザー装置のタイプ又はＲＦパラメータで表現されるようにしてもよい。
【００３４】
一実施例では、ユーザー装置の温度が所定時間連続して所定の温度閾値を超えるか否かによって、ユーザー装置が過熱するか否かを判断し、例えば、ユーザー装置の温度が５分間連続して８５度を超える場合、ユーザー装置が過熱していると判断するようにしてもよい。一実施例では、ユーザー装置の温度はユーザー装置の電池表面温度、又は中央処理装置（Ｃｅｎｔｒａｌ  Ｐｒｏｃｅｓｓｉｎｇ  Ｕｎｉｔ：ＣＰＵと略称）表面温度、又はユーザー装置のフロントスクリーン又はバックケースの温度等であり得る。
【００３５】
ステップ１０２では、タイマーがタイムアウトする時のユーザー装置の装置温度を検出する。
【００３６】
一実施例では、図１Ｃに示すように、ユーザー装置がＴ０時刻に第１シグナリングを送信し、タイマーがＴ０時刻に計時を開始し、タイマーの計時時間がｔ１である場合、ユーザー装置はＴ０＋ｔ１時刻における装置温度を検出し、Ｔ０時刻からＴ０＋ｔ１時刻の間のＴ２時刻に、ユーザー装置は基地局から送信される降温構成を含む応答シグナリングを受信する場合、タイマーになんの操作も実行せず、Ｔ０＋ｔ１時刻に装置温度を検出する。
【００３７】
一実施例では、タイマーがタイムアウトする前に、基地局が第１シグナリングに基づいて返信した降温構成を含む応答シグナリングを受信する場合、タイマーをリセットし、タイマーのリセット後、タイマーがタイムアウトする時のユーザー装置の装置温度を検出する。図１Ｄに示すように、ユーザー装置がＴ０時刻に第１シグナリングを送信し、タイマーがＴ０時刻に計時を開始し、タイマーの計時時間がｔ１である場合、ユーザー装置はＴ０＋ｔ１時刻における装置温度を検出し、Ｔ０時刻からＴ０＋ｔ１時刻の間のＴ２時刻に、ユーザー装置は基地局から送信される降温構成を含む応答シグナリングを受信する場合、タイマーに対しリセット操作を実行し、すなわち、タイマーがＴ２時刻に計時を再開し、ユーザー装置がＴ２＋ｔ１時刻に装置温度を検出する。
【００３８】
一実施例では、タイマーがタイムアウトしていない時、ユーザー装置が接続再構成プロセスを開始する場合、タイマーを停止する必要がある。
【００３９】
ステップ１０３では、前記検出結果に対応する操作を実行する。
【００４０】
一実施例では、検出結果はユーザー装置がまだ過熱していることであってもよく、検出結果はユーザー装置が過熱しなくなることであってもよい。
【００４１】
一実施例では、検出結果に基づいて実行される過熱保護操作は図２に示される実施例を参照すればよいため、ここでは詳細説明をしない。
【００４２】
例示的シーンでは、図１Ｂに示すように、図１Ｂに示されるシーンでは、基地局１０、ユーザー装置（例えばスマートフォン、タブレットＰＣ等）２０を備え、ユーザー装置２０は無線リンク構成が高すぎて過熱していると判断する場合、降温構成を要求するための第１シグナリングを基地局１０に送信し、ＵＥ２０の過熱時、降温構成を要求するためのシグナリングを基地局１０に送信することで温度を低減させ、且つ第１シグナリングを送信した後、所定時間のタイマーを設定し、タイマーがタイムアウトする時のユーザー装置２０の装置温度を検出し、且つ検出結果に基づいて対応する操作を実行し、例えば、検出結果としてまだ過熱している場合、降温構成を要求するためのシグナリングを基地局１０に再送信し且つタイマーを再起動する。
【００４３】
本実施例は上記ステップ１０１〜ステップ１０３によって、ＵＥの過熱時、降温構成を要求するためのシグナリングを基地局に送信することで温度を低減させることを実現し、関連技術に係るサービスデータ伝送の中断の問題を回避し、且つ第１シグナリングを送信した後、所定時間のタイマーを設定し、且つタイマーがタイムアウトする時のユーザー装置の装置温度を検出し、且つ検出結果に基づいて対応する操作を実行することで、任意の時刻に頻繁にシグナリングを送信することによってシグナリング負荷が大きいという問題を回避する。
【００４４】
一実施例では、タイマーがタイムアウトする時のユーザー装置の装置温度を検出することは、
タイマーがタイムアウトする前に、基地局が第１シグナリングに基づいて返信した降温構成を含む応答シグナリングを受信する場合、タイマーをリセットするステップと、
タイマーをリセットした後、タイマーがタイムアウトする時のユーザー装置の装置温度を検出するステップと、を含む。
【００４５】
一実施例では、前記検出結果に対応する操作を実行することは、
検出結果としてタイマーがタイムアウトする時にユーザー装置がまだ過熱している場合、降温構成を要求するための第２シグナリングを基地局に送信し且つタイマーを再起動するステップを含む。
【００４６】
一実施例では、前記検出結果に対応する操作を実行することは、
検出結果としてタイマーがタイムアウトする時にユーザー装置が過熱しなくなる場合、ユーザー装置が過熱しなくなることを指示する第３シグナリングを基地局に送信し且つタイマーを停止するステップ、又は、
基地局へのシグナリング送信を拒否し且つタイマーを停止するステップを含む。
【００４７】
一実施例では、ユーザー装置の過熱保護方法は、
タイマーがタイムアウトする前に接続再確立プロセスが発生する場合、タイマーを停止するステップをさらに含むようにしてもよい。
【００４８】
具体的にはユーザー装置の過熱保護を如何に行うかについて、後続の実施例を参照してください。
【００４９】
以下、具体的な実施例を参照して本開示の実施例に係る技術案を説明する。
【００５０】
図２は例示的な実施例に係る別のユーザー装置の過熱保護方法のフローチャートであり、本実施例では、本開示の実施例に係る上記方法を利用してユーザー装置の過熱保護を実現することを例に例示的に説明し、図２に示すように、下記ステップ２０１〜ステップ２０５を含む。
【００５１】
ステップ２０１では、無線リンク構成が高すぎてユーザー装置が過熱していると判断する場合、降温構成を要求するための第１シグナリングを基地局に送信し且つ所定時間のタイマーを起動し、ステップ２０２又はステップ２０５を実行する。
【００５２】
ステップ２０２では、タイマーがタイムアウトする時のユーザー装置の装置温度を検出する。
【００５３】
一実施例では、ステップ２０１及びステップ２０２についての説明は図１Ａに示される実施例のステップ１０１及びステップ１０２についての説明を参照すればよいため、ここでは重複説明を省略する。
【００５４】
ステップ２０３では、検出結果としてタイマーがタイムアウトする時にユーザー装置がまだ過熱している場合、降温構成を要求するための第２シグナリングを基地局に送信し且つタイマーを再起動する。
【００５５】
一実施例では、第１シグナリングと第２シグナリングは同じであってもよく、すなわち、第１シグナリングに含まれる基地局がＵＥの過熱問題を解決することを支援する補助情報と第２シグナリングに含まれる基地局がＵＥの過熱問題を解決することを支援する補助情報は同じであり、第１シグナリングと第２シグナリングは異なってもよく、すなわち、第１シグナリングに含まれる基地局がＵＥの過熱問題を解決することを支援する補助情報と第２シグナリングに含まれる基地局がＵＥの過熱問題を解決することを支援する補助情報は異なる。
【００５６】
ステップ２０４では、検出結果としてタイマーがタイムアウトする時にユーザー装置が過熱しなくなる場合、ユーザー装置が過熱しなくなることを指示する第３シグナリングを基地局に送信し、又は基地局へのシグナリング送信を拒否し、タイマーを停止する。
【００５７】
一実施例では、検出結果としてユーザー装置が過熱しなくなる場合、システム規則に基づいて、ユーザー装置が過熱しなくなることを指示するための第３シグナリングを基地局送信し、又は基地局へのシグナリング送信をしない。
【００５８】
ステップ２０５では、タイマーがタイムアウトする前に接続再確立プロセスが発生する場合、タイマーを停止し、プロセスが終了する。
【００５９】
一実施例では、タイマーがタイムアウトする前に、ユーザー装置は通信信号が悪すぎる等の原因によって接続再確立プロセスを開始する場合に、タイマーを停止する。
【００６０】
本実施例では、上記ステップ２０１〜ステップ２０５によって、ユーザー装置の過熱時に、所定時間のタイマーに基づいて、降温構成を要求するためのシグナリングを送信する時間間隔を決定することを実現でき、任意の時点に頻繁にシグナリングを基地局に送信することを回避し、スペクトルリソース利用率及びネットワークのシグナリング負荷を軽減させる。
【００６１】
図３は例示的な実施例に係るユーザー装置の過熱保護方法のフローチャートであり、該ユーザー装置の過熱保護方法は基地局に応用でき、図３に示すように、該ユーザー装置の過熱保護方法は以下のステップ３０１〜ステップ３０３を含む。
【００６２】
ステップ３０１では、ユーザー装置から送信される降温構成を要求するための第１シグナリングを受信する。
【００６３】
一実施例では、第１シグナリングは基地局がＵＥの過熱問題を解決することを支援する補助情報を含むシグナリングであり、第１シグナリングは基地局にユーザー装置の過熱問題を解決することを指示する補助情報を含み、補助情報は過熱による低性能Ｌｏｗｅｒ−Ｐｅｒｆｏｒｍａｎｃｅの指示情報、及び／又は、調整先の無線リンク構成、及び／又は、ユーザー装置の一時的ＵＥ能力を含み、一時的ＵＥ能力はユーザー装置のタイプ又はＲＦパラメータで表現されるようにしてもよい。
【００６４】
ステップ３０２では、第１シグナリングに基づいて、降温構成を含む応答シグナリングを生成する。
【００６５】
一実施例では、第１シグナリングは基地局がＵＥの過熱問題を解決することを支援する補助情報を含むシグナリングであり、第１シグナリングは基地局にユーザー装置の過熱問題を解決することを指示する補助情報を含み、補助情報は過熱による低性能Ｌｏｗｅｒ−Ｐｅｒｆｏｒｍａｎｃｅの指示情報、及び／又は、調整先の無線リンク構成、及び／又は、ユーザー装置の一時的ＵＥ能力を含み、一時的ＵＥ能力はユーザー装置のタイプ又はＲＦパラメータで表現されるようにしてもよい。
【００６６】
一実施例では、応答シグナリングはＲＲＣ接続再構成シグナリングであり得る。
【００６７】
一実施例では、第１シグナリングが調整先の無線リンク構成を含む場合、基地局は直接調整先の無線リンク構成に基づいて応答シグナリングを生成するようにしてもよい。
【００６８】
一実施例では、第１シグナリングがユーザー装置の一時的ＵＥ能力を含む場合、基地局は第１シグナリング中のユーザー装置のタイプに基づき一時的ユーザー装置能力を決定し調整先の無線リンク構成を決定し、且つ応答シグナリングを生成するようにしてもよい。
【００６９】
ステップ３０３では、応答シグナリングを送信する。
【００７０】
例示的シーンでは、図１Ｂに示すように、図１Ｂに示されるシーンでは、基地局１０、ユーザー装置（例えばスマートフォン、タブレットＰＣ等）２０を備え、ユーザー装置２０は無線リンク構成が高すぎて過熱していると判断する場合、降温構成を要求するための第１シグナリングを基地局１０に送信し、ＵＥ２０の過熱時、降温構成を要求するためのシグナリングを基地局１０に送信することで温度を低減させ、且つ第１シグナリングを送信した後、所定時間のタイマーを設定し、タイマーがタイムアウトする時のユーザー装置２０の装置温度を検出し、且つ検出結果に基づいて対応する操作を実行し、例えば、検出結果としてまだ過熱している場合、降温構成を要求するためのシグナリングを基地局１０に再送信し且つタイマーを再起動する。
【００７１】
本実施例では、上記ステップ３０１−ステップ３０３によって、基地局はユーザー装置から送信された降温構成を要求するための第１シグナリングに基づいて、ユーザー装置の調整先の無線リンク構成を決定し、更にユーザー装置の無線リンク構成を削減させて装置温度を低減させ、関連技術に係るサービスデータ伝送の中断の問題を回避する。
【００７２】
一実施例では、第１シグナリングに基づいて、降温構成を含む応答シグナリングを生成することは、
第１シグナリングを解析して降温補助情報を取得するステップと、
降温補助情報に基づいて応答シグナリングを生成するステップと、を含む。
【００７３】
具体的には如何にユーザー装置の過熱保護を行うかについて、後続の実施例を参照してください。
【００７４】
以下、具体的な実施例を参照して本開示の実施例に係る技術案を説明する。
【００７５】
図４は例示的な実施例に係るさらに別のユーザー装置の過熱保護方法のフローチャートであり、本実施例は、本開示の実施例に係る上記方法を利用して応答シグナリングを生成することを例に例示的に説明し、図４に示すように、下記ステップ４０１〜ステップ４０２を含む。
【００７６】
ステップ４０１では、第１シグナリングを解析して降温補助情報を取得する。
【００７７】
一実施例では、補助情報は過熱による低性能Ｌｏｗｅｒ−Ｐｅｒｆｏｒｍａｎｃｅの指示情報、及び／又は、調整先の無線リンク構成、及び／又は、ユーザー装置の一時的ＵＥ能力を含み、一時的ＵＥ能力はユーザー装置のタイプ又はＲＦパラメータで表現されるようにしてもよい。
【００７８】
ステップ４０２では、降温補助情報に基づいて応答シグナリングを生成する。
【００７９】
一実施例では、第１シグナリングが調整先の無線リンク構成を含む場合、基地局は直接調整先の無線リンク構成に基づいて応答シグナリングを生成するようにしてもよい。
【００８０】
一実施例では、第１シグナリングがユーザー装置の一時的ＵＥ能力を含む場合、基地局は第１シグナリング中のユーザー装置のタイプに基づき一時的ユーザー装置能力を決定し調整先の無線リンク構成を決定し、且つ応答シグナリングを生成するようにしてもよい。一実施例では、一時的ＵＥ能力がユーザー装置のタイプで表現される場合、基地局は第１シグナリング中のユーザー装置のタイプに基づき調整先の無線リンク構成を決定するようにしてもよい。一実施例では、一時的ＵＥ能力がＲＦパラメータで表現される場合、基地局は第１シグナリング中のＲＦパラメータに基づき一時ユーザー装置能力を決定するようにしてもよい。
【００８１】
一実施例では、基地局は決定された調整先の無線リンク構成に基づいて、ＲＲＣ接続再構成の応答シグナリングを生成してもよい。
【００８２】
本実施例では、上記ステップ４０１〜ステップ４０２によって、基地局はユーザー装置から送信された降温構成を要求するための第１シグナリングに基づいて、ユーザー装置の調整先の無線リンク構成を決定し、更にユーザー装置の無線リンク構成を削減させることで装置温度を低減させる。
【００８３】
図５は例示的な実施例に係るさらに別の基地局とユーザー装置との対話によってユーザー装置の過熱保護方法を実現するフローチャートであり、本実施例は、本開示の実施例に係る上記方法を利用して基地局とユーザー装置との対話によってユーザー装置の過熱保護を実現することを例に例示的に説明し、図５に示すように、下記ステップ５０１〜ステップ５０６を含む。
【００８４】
ステップ５０１では、ユーザー装置は無線リンク構成が高すぎて過熱している場合、降温構成を要求するための第１シグナリングを基地局に送信する。
【００８５】
ステップ５０２では、ユーザー装置は所定時間のタイマーを起動する。
【００８６】
一実施例では、第１シグナリングの送信直後、所定時間のタイマーを起動し、タイマーの開始計時時間は第１シグナリングの送信時間であってもよいと理解できる。
【００８７】
ステップ５０３では、基地局はユーザー装置から送信された第１シグナリングを受信し、第１シグナリングを解析して、ユーザー装置の過熱問題を解決することを指示する補助情報を取得する。
【００８８】
ステップ５０４では、基地局は補助情報に基づいて、応答シグナリングを生成する。
【００８９】
ステップ５０５では、基地局は応答シグナリングを送信する。
【００９０】
ステップ５０６では、タイマーがタイムアウトする時の装置温度を検出し、且つ前記検出結果に対応する操作を実行する。
【００９１】
本実施例では、上記ステップ５０１〜ステップ５０６によって、ＵＥの過熱時、降温構成を要求するためのシグナリングを基地局に送信することで温度を低減させ、関連技術に係るサービスデータ伝送の中断の問題を回避し、且つタイマーによって、第１シグナリングを送信してから所定時間後に実行される過熱保護操作を決定することで、任意の時刻に頻繁にシグナリングを送信することによってシグナリング負荷が大きいという問題を回避する。
【００９２】
図６は例示的な実施例に係るユーザー装置の過熱保護装置のブロック図であり、該装置はユーザー装置に応用され、図６に示すように、ユーザー装置の過熱保護装置は、
無線リンク構成が高すぎてユーザー装置が過熱していると判断する場合、降温構成を要求するための第１シグナリングを基地局に送信し且つ所定時間のタイマーを起動するように構成される過熱処理モジュール６１と、
タイマーがタイムアウトする時のユーザー装置の装置温度を検出するように構成される検出モジュール６２と、
前記検出結果に対応する操作を実行するように構成される実行モジュール６３と、を備える。
【００９３】
図７は例示的な実施例に係る別のユーザー装置の過熱保護装置のブロック図であり、図７に示すように、上記図６に示される実施例に加えて、一実施例では、検出モジュール６２は、
タイマーがタイムアウトする前に、基地局が第１シグナリングに基づいて返信した降温構成を含む応答シグナリングを受信する場合、タイマーをリセットするように構成されるリセットサブモジュール６２１と、
タイマーをリセットした後、タイマーがタイムアウトする時のユーザー装置の装置温度を検出するように構成される検出サブモジュール６２２と、を備える。
【００９４】
一実施例では、実行モジュール６３は、
検出結果としてタイマーがタイムアウトする時にユーザー装置がまだ過熱している場合、降温構成を要求するための第２シグナリングを基地局に送信し且つタイマーを再起動するように構成される第１処理サブモジュール６３１を備える。
【００９５】
一実施例では、実行モジュール６３は、
検出結果としてタイマーがタイムアウトする時にユーザー装置が過熱しなくなる場合、ユーザー装置が過熱しなくなることを指示する第３シグナリングを基地局に送信し且つタイマーを停止するように構成される第２処理サブモジュール６３２、又は、
基地局へのシグナリング送信を拒否し且つタイマーを停止するように構成される第３処理サブモジュール６３３を備える。
【００９６】
一実施例では、装置は、
タイマーがタイムアウトする前に接続再確立プロセスが発生する場合、タイマーを停止するように構成されるタイマー停止モジュール６４をさらに備える。
【００９７】
図８は例示的な実施例に係るユーザー装置の過熱保護装置のブロック図であり、該装置は基地局に応用され、図８に示すように、ユーザー装置の過熱保護装置は、
ユーザー装置から送信される降温構成を要求するための第１シグナリングを受信するように構成される受信モジュール８１と、
受信モジュール８１によって受信された第１シグナリングに基づいて、降温構成を含む応答シグナリングを生成するように構成される生成モジュール８２と、
生成モジュール８２によって生成された応答シグナリングを送信するように構成される送信モジュール８３と、を備える。
【００９８】
図９は例示的な実施例に係るさらに別のユーザー装置の過熱保護装置のブロック図であり、図９に示すように、上記図８に示される実施例に加えて、一実施例では、生成モジュール８２は、
第１シグナリングを解析して降温補助情報を取得するように構成される解析サブモジュール８２１と、
降温補助情報に基づいて応答シグナリングを生成するように構成される生成サブモジュール８２２と、を備える。
【００９９】
上記実施例の装置について、各モジュールが操作を実行する具体的な形態は関連する該方法の実施例では詳細説明されたため、ここでは詳細説明をしない。
【０１００】
図１０は例示的な実施例に係るユーザー装置に適用できる過熱保護装置のブロック図である。装置１０００は基地局として提供されてもよい。図１０に示すように、装置１０００は処理コンポーネント１０２２、無線送信／受信コンポーネント１０２４、アンテナコンポーネント１０２６、及び無線インタフェース固有の信号処理部を備え、処理コンポーネント１０２２は更に１つ又は複数のプロセッサを含んでもよい。
【０１０１】
処理コンポーネント１０２２の１つのプロセッサは上記ユーザー装置の過熱保護方法を実行するように構成されてもよい。
【０１０２】
例示的な実施例では、命令を含む非一時的コンピュータ可読記憶媒体をさらに提供し、上記命令が装置１０００の処理コンポーネント１０２２によって実行されて上記方法を実行する。例えば、非一時的コンピュータ可読記憶媒体はＲＯＭ、ランダムアクセスメモリ（ＲＡＭ）、ＣＤ−ＲＯＭ、テープ、フロッピーディスク及び光データ記憶装置等であり得る。
【０１０３】
非一時的コンピュータ可読記憶媒体であって、記憶媒体中の命令が基地局のプロセッサによって実行される時、基地局は上記第２態様に開示されているユーザー装置の過熱保護方法を実行し、
ユーザー装置から送信される降温構成を要求するための第１シグナリングを受信するステップと、
第１シグナリングに基づいて、降温構成を含む応答シグナリングを生成するステップと、
応答シグナリングを送信するステップと、を含む。
【０１０４】
図１１は例示的な実施例に係るユーザー装置に適用できる過熱保護装置のブロック図である。例えば、装置１１００は第１装置、例えばスマートフォンである。
【０１０５】
図１１に示すように、装置１１００は、処理コンポーネント１１０２、メモリ１１０４、電源コンポーネント１１０６、マルチメディアコンポーネント１１０８、オーディオコンポーネント１１１０、入力／出力（Ｉ／Ｏ）インタフェース１１１２、センサコンポーネント１１１４、及び通信コンポーネント１１１６のうちの１つ又は複数のユニットを備えてもよい。
【０１０６】
処理コンポーネント１１０２は通常、装置１１００の全操作、例えば表示、電話発呼、データ通信、カメラ操作及び記録操作に関連する操作を制御する。処理コンポーネント１１０２は１つ又は複数のプロセッサ１１２０を備えてもよく、命令を実行して、上記方法のすべて又は一部のステップを実行する。また、処理コンポーネント１１０２は処理コンポーネント１１０２とほかのユニットとの対話を容易にするように１つ又は複数のモジュールを備えてもよい。例えば、処理コンポーネント１１０２は、マルチメディアコンポーネント１１０８と処理コンポーネント１１０２との対話を容易にするようにマルチメディアモジュールを備えてもよい。
【０１０７】
メモリ１１０４は、各種のタイプのデータを記憶して装置１１００における操作をサポートするように構成される。これらのデータの例として、装置１１００上で操作される任意のアプリケーションプログラム又は方法の命令、メッセージ、ピクチャ等を含む。メモリ１１０４は任意のタイプの揮発性又は不揮発性記憶装置又はそれらの組み合わせによって実現でき、例えば、スタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクが挙げられる。
【０１０８】
電源コンポーネント１１０６は装置１１００の各種のユニットに電力を供給する。電力ユニット１１０６は電源管理システム、１つ又は複数の電源、及び装置１１００に対する電力の生成、管理及び分配に関連するほかのユニットを備えてもよい。
【０１０９】
マルチメディアコンポーネント１１０８は装置１１００とユーザーとの間で出力インタフェースを提供するスクリーンを備える。いくつかの実施例では、スクリーンは液晶ディスプレイ（ＬＣＤ）及びタッチパネル（ＴＰ）を備えてもよい。スクリーンがタッチパネルを備える場合、スクリーンはタッチスクリーンとして実現でき、ユーザーからの入力信号を受信する。タッチパネルはタッチ、スライド及びタッチパネル上でのジェスチャーを検知する１つ又は複数のタッチセンサを備える。タッチセンサはタッチ又はスライド動作の境界を検知するだけでなく、タッチ又はスライド操作に関連する継続時間及び圧力を検出する。いくつかの実施例では、マルチメディアコンポーネント１１０８は１つのフロントカメラ及び／又はリアカメラを備える。装置１１００が操作モード、例えば撮影モード又はビデオモードにある時、フロントカメラ及び／又はリアカメラは外部のマルチメディアデータを受信する。各フロントカメラ及びリアカメラは固定された光学レンズシステムであり、又は焦点距離及び光学ズーム能力を有する。
【０１１０】
オーディオコンポーネント１１１０は、音声信号を出力及び／又は入力するように構成される。例えば、オーディオコンポーネント１１１０は１つのマイクロホン（ＭＩＣ）を備え、装置１１００が操作モード、例えば発呼モード、記録モード及び音声認識モードにある時、マイクロホンは外部音声信号を受信するように構成される。受信された音声信号は更にメモリ１１０４に記憶され又は通信コンポーネント１１１６を経由して送信されるようにしてもよい。いくつかの実施例では、オーディオコンポーネント１１１０は音声信号を出力するように構成される１つのスピーカをさらに備える。
【０１１１】
Ｉ／Ｏインタフェース１１１２は処理コンポーネント１１０２とペリフェラルインタフェースモジュールとの間でインタフェースを提供し、上記ペリフェラルインタフェースモジュールはキーボード、クリックホイール、ボタン等であり得る。これらのボタンはホームページボタン、音量ボタン、開始ボタン及びロックボタンを含むが、それらに限定されない。
【０１１２】
センサコンポーネント１１１４は、装置１１００に各態様の状態評価を提供するように構成される１つ又は複数のセンサを備える。例えば、センサコンポーネント１１１４は装置１１００のオン／オフ状態、例えば装置１１００のディスプレイ及びテンキーのようなユニットの相対位置を検出し、センサコンポーネント１１１４はさらに装置１１００又は装置１１００の１つのユニットの位置変化、ユーザーと装置１１００との接触の有無、装置１１００の方位又は加速／減速及び装置１１００の温度変化を検出する。センサコンポーネント１１１４は、物理的接触をせずに近くの物体の存在を検出するように構成される近接センサを備え得る。センサコンポーネント１１１４は、イメージング用途に使用される光センサ、例えばＣＭＯＳ又はＣＣＤ画像センサを備え得る。いくつかの実施例では、該センサコンポーネント１１１４は加速度センサ、ジャイロスコープセンサ、磁気センサ、距離センサ、圧力センサ又は温度センサをさらに備えてもよい。
【０１１３】
通信コンポーネント１１１６は、装置１１００とほかの装置との有線又は無線通信を行うように構成される。装置１１００は通信標準に基づくワイヤレスネットワーク、例えばＷＩＦＩ、２Ｇ又は３Ｇ、又はそれらの組み合わせに接続できる。例示的な実施例では、通信コンポーネント１１１６はブロードキャストチャネルを経由して外部ブロードキャスト管理システムからのブロードキャスト信号又はブロードキャスト関連情報を受信する。例示的な実施例では、通信コンポーネント１１１６は、近距離通信を促進するように、近距離通信（ＮＦＣ）モジュールをさらに備える。例えば、ＮＦＣモジュールは無線周波数識別（ＲＦＩＤ）技術、赤外線データ通信（ＩｒＤＡ）技術、超広帯域（ＵＷＢ）技術、ブルートゥース（登録商標）（ＢＴ）技術及びほかの技術によって実現できる。
【０１１４】
例示的な実施例では、装置１１００は１つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はほかの電子部品によって実現されてもよく、上記ユーザー装置の過熱保護方法を実行するように構成される。
【０１１５】
例示的な実施例では、命令を含む非一時的コンピュータ可読記憶媒体をさらに提供し、例えば、命令を含むメモリ１１０４が挙げられ、上記命令は装置１１００のプロセッサ１１２０によって実行されて、上記方法を実行する。例えば、非一時的コンピュータ可読記憶媒体はＲＯＭ、ランダムアクセスメモリ（ＲＡＭ）、ＣＤ−ＲＯＭ、テープ、フロッピーディスク及び光データ記憶装置等であり得る。
【０１１６】
非一時的コンピュータ可読記憶媒体であって、該記憶媒体中の命令が装置のプロセッサによって実行される時、装置は上記第１態様に係るユーザー装置の過熱保護方法を実行し、該方法は、
無線リンク構成が高すぎてユーザー装置が過熱していると判断する場合、降温構成を要求するための第１シグナリングを基地局に送信し且つ所定時間のタイマーを起動するステップと、
タイマーがタイムアウトする時のユーザー装置の装置温度を検出するステップと、
前記検出結果に対応する操作を実行するステップと、を含む。
【０１１７】
当業者がここで開示されている明細書及び実施を参照して、本開示のほかの実施形態を容易に想到し得る。本願は、本開示の変形、用途又は適切な変更のすべてを含み、これらの変形、用途又は適切な変更は本開示の趣旨を逸脱することがなく、且つ本開示に開示されている本技術分野の公知技術又は従来の技術的手段を含む。明細書及び実施例は例示的なものであり、本開示の真の範囲及び精神は添付特許請求の範囲に定められている。
【０１１８】
なお、本開示は以上説明され且つ図示された詳細構造に限定されるものではなく、その範囲を逸脱せずに種々の変更や変形を行うことができる。本開示の範囲は添付特許請求の範囲のみに定められている。
【図１Ａ】
2020529783.tif 000003
【図１Ｂ】
2020529783.tif 000004
【図１Ｃ】
2020529783.tif 000005
【図１Ｄ】
2020529783.tif 000006
【図２】
2020529783.tif 000007
【図３】
2020529783.tif 000008
【図４】
2020529783.tif 000009
【図５】
2020529783.tif 000010
【図６】
2020529783.tif 000011
【図７】
2020529783.tif 000012
【図８】
2020529783.tif 000013
【図９】
2020529783.tif 000014
【図１０】
2020529783.tif 000015
【図１１】
2020529783.tif 000016
【国際調査報告】
2020529783.tif 000017
2020529783.tif 000018
2020529783.tif 000019
2020529783.tif 000020